(57)【要約】      （修正有）【課題】構造が簡単で、水を噴射するための動力を必要としないような噴霧装置を提供する。【解決手段】先端を先鋭状に形成しそこに貫通穴を形成したチューブ状のガイド筒ノズル１５と、ガイド筒ノズルの内側に間隔を介して配置された先頭が先鋭の導水筒１９と、導水筒の先端に取り付けられ、導水筒の内側と外側に連通する複数個の貫通穴を有する多穴キャップ１６と、多穴キャップに形成した貫通穴の出口付近に配置し空隙を介して設けた噴霧噴射口２８と、を有する。空隙から気体を多穴キャップの貫通穴の出口に吹き付けて、ガイド筒ノズルと導水筒内に満ちた液体を噴霧噴射口から霧状にして噴出する。【選択図】図２
0003164790.tif 000002
【実用新案登録請求の範囲】
【請求項１】
液状体を噴霧状にして散布する噴霧装置において、
先端を先鋭状に形成しそこに貫通穴を形成したチューブ状のガイド筒ノズルと、
該ガイド筒ノズルの内側に間隔を介して配置され円筒状で先頭が先鋭の導水筒と、
導水筒の先端に取り付けられ、導水筒の内側と外側に連通する複数個の貫通穴を有する多穴キャップと、
多穴キャップに形成した貫通穴の出口付近に配置し空隙を介して設けた噴霧噴射口と、
を有し、空隙から気体を多穴キャップの貫通穴の出口に吹き付けて、ガイド筒ノズルと導水筒内に満ちた液状体を噴霧噴射口から霧状にして噴出することを特徴とする噴霧装置。
【請求項２】
多穴キャップに形成した貫通穴の出口付近に設けた空隙の寸法を調節する調節装置を有することを特徴とする請求項１に記載の噴霧装置。
【請求項３】
ガイド筒ノズルと導水筒内に満たす液体は、水であることを特徴とする請求項１に記載の噴霧装置。
【請求項４】
ガイド筒ノズルと導水筒内に満たす液体は、水以外の液状体であることを特徴とする請求項１に記載の噴霧装置。
【請求項５】
ガイド筒ノズルと導水筒内には、供給源から液状体が供給されることを特徴とする請求項１に記載の噴霧装置。
【考案の詳細な説明】
【技術分野】
【０００１】
本考案は、液体を噴霧状にして散布する噴霧装置に関し、特に、水を効率よく噴霧状にして、例えば農作物に散布したり、温室、クリーンルーム、ビル、ワイナリーなど一定領域の給湿を行ったり、食品（肉、穀物等）、織物、木工品などの湿度調整を行ったり、タービン等の冷却を行ったり、水分の放出によるほこりの抑制、疾病コントロールや、薬剤の放出による消毒を行うのに好適な噴霧装置に関する。
【背景技術】
【０００２】
原野を開拓して大規模な農業を行うようなとき灌漑設備は欠かせない。通常は、山間から農園まで水路を形成し灌漑水を、噴霧装置やスプリンクラーなどを用いて作物の全体に散水するようにしたり、ドリッパーと呼ばれる点滴装置などを用い、作物の根元に点滴し、直接供給していた。また、地下水が豊富な地域では、深層井戸を掘削し、水を汲み上げてこれを農作物に散布していた。このような灌漑水散布の例は、下記引用文献１，２などに示される。
【先行技術文献】
【特許文献】
【０００３】
【特許文献１】特開２００１−４５８９０号公報
【特許文献２】特開２００８−１１０３１８号公報
【考案の概要】
【考案が解決しようとする課題】
【０００４】
上述のような従来の散布装置は、なるべく広域散布を可能にするため、散布するノズルに大きな水圧をかける装置が必要となるほか、水を効率よく霧化するためのノズルの構造が極めて複雑で、高価なものとなっている。
【０００５】
本考案は、このような従来の不具合を解消しようとするものであり、その目的は、構造が簡単で、水を噴射するための動力を必要としないような噴霧装置を提供することにある。
【課題を解決するための手段】
【０００６】
上述のような本考案の目的を達成するために、本願の請求項１に記載の考案は、液状体を噴霧状にして散布する噴霧装置において、先端を先鋭状に形成しそこに貫通穴を形成したチューブ状のガイド筒ノズルと、該ガイド筒ノズルの内側に間隔を介して配置された先頭が先鋭の導水筒と、導水筒の先端に取り付けられ、導水筒の内側と外側に連通する複数個の貫通穴を有する多穴キャップと、多穴キャップに形成した貫通穴の出口付近に配置し空隙を介して設けた噴射噴霧口と、を有し、空隙から気体を多穴キャップの貫通穴の出口に吹き付けて、ガイド筒ノズルと導水筒内に満ちた液体を噴霧噴射口から霧状にして噴出することを特徴とする噴霧装置を提供する。
【０００７】
また、本願の請求項２に記載の考案は、請求項１に記載の考案に加えて、多穴キャップに形成した貫通穴の出口付近に設けた空隙の寸法を調節する調節装置を有することを特徴とする噴霧装置を提供する。
【０００８】
また、本願の請求項３に記載の考案は、請求項１に記載の考案に加えて、ガイド筒ノズルと導水筒内に満たす液体は、水であることを特徴とする噴霧装置を提供する。
【０００９】
また、本願の請求項４に記載の考案は、請求項１に記載の考案に加えて、ガイド筒ノズルと導水筒内に満たす液体は、水以外の液状体であることを特徴とする噴霧装置を提供する。
【００１０】
さらに、本願の請求項５に記載の考案は、請求項１に記載の考案に加えて、ガイド筒ノズルと導水筒内には、供給源から液状体が供給されることを特徴とする噴霧装置としている。
【考案の効果】
【００１１】
本考案の噴霧装置は、噴出する液状体、特に水の粒子を極めて細かくでき、さらに、その粒子径も幅広く、細かく調節することが出来るので、用途にしたがって、最良の効率を発揮する液体粒径を選択することが出来るため、効率のよい散布が可能である。また、主に散布を空気圧で行うため、装置全体の構造が簡単になるため装置全体のコストも下がるメリットもある。
【図面の簡単な説明】
【００１２】
【図１】本考案の実施形態に係る噴霧装置を構成する装置全体の構成図である。
【図２】本考案の実施形態に係る噴霧装置の断面図である。
【図３】本考案の実施形態に係る噴霧装置の断面図である。
【図４】噴霧装置の動作を説明するための部分断面図である。
【図５】噴霧装置の動作を説明するための部分断面図である。
【考案を実施するための形態】
【００１３】
本考案は、温室のような室内で、農作物を栽培している場合で、これらに水分を供給するようなときに用いて好適である。
【００１４】
また、ディーゼルエンジンのような内燃機関に燃料を供給する場合の噴射装置にも用いることができる。
【００１５】
次に、本考案の実施形態を、図面を用いて詳細に説明する。図１は、実施形態に係る噴霧装置を構成する装置全体の構成図である。この噴霧装置は、農作物に噴霧状態で水分を供給するためのものとされる。図１において、１は、水２を満たしたタンクで、通常、水２は、上部水面ＵＬにまで満たされており、その消費により、水面が低下すると、フロートスイッチ３がこれを検知し、水面が下部水面ＬＬにまで達すると、フロートスイッチ３がこれを感知し、ポンプ４を作動させて水源ｗから水２を液状体の供給源となるタンク１内に補給し、水面を上部水面ＵＬに戻す。５は水を噴霧状にして扇形領域ｆ内に噴射するノズルである。４’は水２をノズル５に供給するポンプである。６は空気ポンプで、ノズル５の内部に空気を送り込む。送出圧は、−５０ｋＰａ程度でよい。
【００１６】
なお、運転開始に当たって空気をノズル５への供給したとき水が自然に噴射するような場合には、このポンプ４’を省略できる。また、水１は水以外の液状体でもよい。
【００１７】
図２はノズル５を構成する雄金具１０を詳細に示した断面図である。なお、構造の理解を早めるため、雌金具２０の取り付け位置を点線で示している。タンク１から送られた水はホース１１を通して雄金具１０に供給される。雄金具１０は金属製で円筒状をしており、その底面（図２では左側）には送水面１２が形成され、またその周囲には、ホース１１を取り付ける雄ねじ１３が切られている。雄金具１０の上面１４（図２では右側）の中央には、中空のガイド筒ノズル１５が形成されていて、その内部は送水面１２に通じている。また、ガイド筒ノズル１５の先端は細められており、その先端には、多穴キャップ１６が取り付けられている。図４は多穴キャップ１６を示す断面図である。この多穴キャップ１６は金属製で、カップ状に形成され、その上面周辺には、１０個の貫通穴１７が形成されている。加えて、ガイド筒ノズル１５の中心部には、スペース１８を介して中空で先端に鋭端１９’を形成した導水筒１９が配置されている。
【００１８】
雌金具２０は、図３に詳細を示すように、その中央を貫く中央貫通穴２２に雄金具１０のガイド筒ノズル１５が挿入され、その頸部２１は雄金具１０の頭部に被さってこれに固定している。頚部２１には、２本の螺子２２，２３がねじ込まれている。ねじ込まれた螺子２２の先端は、雄金具１０の側面に刻まれた断面方形の溝２４に嵌まり込み、雌金具２０を雄金具１０に固定する。位置調整溝２５は、その断面形状が台形をしており、頚部２１にねじ込まれた螺子２３の先端は位置調整溝２５の側面と接触し、螺子２３を回転させることによってその接触位置が変わり、雌金具２０を、雄金具に対して相対的に少し移動させることが出来る。すなわち、これらは調節装置を構成する。
【００１９】
２６は雌金具２０に挿入されたガイド筒ノズル１５の先端外面に空気を送入するための空気送入口であり、空気ポンプ６に接続している。ガイド筒ノズル１５の先端周囲付近に隣接する雌金具２０の内部には、空気送入口２６に通じる空隙２７が形成されている。雌金具２０の先端中央部には、噴霧噴射口２８が形成され、ガイド筒ノズル１５の先端にある多穴キャップ１６がスペースを介して対峙している。なお、２９はノズル５を定置台などに固定するための螺子穴である。３０は雄金具１０と雌金具２０のつなぎ目から、液体や空気が漏れるのを防ぐＯリングである。
【００２０】
次に、本考案にかかる噴霧装置の作用について説明する。図１において、水槽１に満たされた水２をノズル５から扇形領域ｆ内に散布する場合、ポンプ６，４’を動作させる。水２は雄金具１０のガイド筒ノズル１５と導水筒１９との間と、導水筒１９内にまで達すると同時に、空気はポンプ６により空気送入口２６から空隙２７に送り込まれる。そしてさらにその空気は多穴キャップ１６先端に達し、これと雌金具２０間に形成された狭い空間に達し、ここから流速を早めて、噴霧噴射口２８から高速で外部に噴出する。このため、多穴キャップ１６に空けた貫通穴１７先端付近の圧力が低下し、ガイド筒ノズル１５と導水筒１９の間に満たされた水は、多穴キャップ１６の貫通穴１７から空隙２７方向に吸い出され、霧化される。
【００２１】
このとき、貫通穴１７から吸い出される水は、ガイド筒ノズル１５と雌金具２０間から吸い出される水と、導水筒１９から吸い出される水が流速の異なる２層になって合体し、貫通穴１７に送られるため、これら２層の水は合体のとき乱流を発生して噴出されるため、噴出する水の粒子は非常に細かくなる。
【００２２】
また、本考案において、螺子２３を回転させると、その先端は、位置調整溝２５の斜面をすべるように回転するので雄金具１０と雌金具２０の相対位置を少し変えることが出来、このため、多穴キャップ１６と雌金具２０間に形成されたスペースの間隔寸法を調節することが出来、結果的に噴出する液体粒子の径を細かく調整できる。
【産業上の利用可能性】
【００２３】
以上のように、本考案は、農業おける灌漑設備に用いて有用であるばかりか、ディーゼルエンジンのように、燃料を霧化して燃焼室に噴射するような場合、さらに大掛かりな殺虫剤の散布にも用いられる。
【符号の説明】
【００２４】
１        タンク
２        水
３        フロートスイッチ
４，４’      ポンプ
ＵＬ        上部水面
ＬＬ        下部水面
５        ノズル
６        空気ポンプ
ｆ        扇形領域
１０        雄金具
１１        ホース
１２        送水面
１３        雄ねじ
１４        上面
１５        ガイド筒ノズル
１６        多穴キャップ
１７        貫通穴
１８        スペース
１９        導水筒
１９’      鋭端
２０        雌金具
２１        頚部
２２，２３  螺子
２４        溝
２５        位置調整溝
２６        空気挿入口
２７        空隙
２８        噴霧噴射口
２９        螺子穴
３０        Ｏリング
【図１】
0003164790.tif 000003
【図２】
0003164790.tif 000004
【図３】
0003164790.tif 000005
【図４】
0003164790.tif 000006
【図５】
0003164790.tif 000007